(57)【要約】【課題】一対のレンズ回転軸間で眼鏡レンズを挟持したときに、眼鏡レンズの撓みを防ぎ、ヤゲン加工等の場合のヤゲン山位置のずれがなくなり、精密なヤゲン加工を実現することができるレンズ保持装置を提供すること。【解決手段】眼鏡レンズＭＬを保持する一方のレンズ回転軸７に取り付けられ長径と短径を有する吸着カップ１４の長径をＬ、他方のレンズ回転軸８のレンズ押え部（レンズ押さえ）の長径をＭ、長径と短径を有する吸着カップ１４が取り付けられたレンズ回転軸７のカップ受け部（端部７ａ）の長径をＳとするとき、Ｌ＞Ｍ＞Ｓの関係を満たすように眼鏡レンズを挟持するようになっている。【選択図】  図３
2005254391.tif 000002
【特許請求の範囲】
【請求項１】
眼鏡レンズを保持する一方のレンズ回転軸に取り付けられ長径と短径を有する吸着カップの長径をＬ、他方のレンズ回転軸のレンズ押え部の長径をＭ、長径と短径を有する吸着カップが取り付けられたレンズ回転軸のカップ受け部の長径をＳとするとき、Ｌ＞Ｍ＞Ｓの関係を満たすように眼鏡レンズを挟持することを特徴とするレンズ保持装置。
【発明の詳細な説明】
【技術分野】
【０００１】
本発明は、眼鏡レンズを両側からレンズ回転軸により挟持するレンズ保持装置、およびレンズ保持装置により保持された眼鏡レンズを砥石により研削加工するレンズ研削加工装置に関する。
【背景技術】
【０００２】
従来のレンズ加工装置としては、例えば後縁部を中心に上下に回動可能なキャリッジを設けて、キャリッジの左右のアーム部に直列に配設された一対のレンズ回転軸をそれぞれ回転自在に保持させ、且つ一方のレンズ回転軸を他方のレンズ回転軸に対して進退調整可能に設けることで、この一対のレンズ回転軸間に眼鏡レンズを保持可能に設けると共に、キャリッジを左右のアームを上下動制御してレンズ回転軸間に保持される眼鏡レンズを下方の研削砥石で研削加工するようにしたものが知られている。
【０００３】
このようなレンズ研削加工装置では、眼鏡レンズＭＬに吸着させた吸着カップ１を一対のレンズ回転軸の対向端部の一方に設けた取付穴に嵌着し、この眼鏡レンズを一対のレンズ回転軸の対向端部の他方に取り付けたレンズ押さえで押さえ付けることにより、眼鏡レンズを一対のレンズ回転軸間で挟持（保持）させるようにしている。
【０００４】
このような従来のレンズ加工装置では、眼鏡レンズを保持する場合、一方のレンズ回転軸に取り付けられた吸着カップの直径と、他方のレンズ回転軸のレンズ押えの直径は略等しく、押圧する力が均等であるようにつくられていた（特許文献１〜５）。
【０００５】
一方、縦方向の幅が狭く鼻側から耳側に伸びる横方向に長く、それに直交する縦方向に狭いような最近のリムレスフレーム等のカニ目型（小判型）の玉型に円形の未加工眼鏡レンズを研削する場合、通常の円形の吸着カップ（吸着盤あるいは吸着治具）に代えて、円形の吸着カップの上下を切り取って図１１に示したように形成したカニメ型あるいは小判型の総称して楕円型の吸着カップＡを用意する。そして、この吸着カップＡを眼鏡レンズＭＬの前側屈折面に貼り付けてレンズ回転軸Ｂに装着すると共に、レンズ回転軸Ｃのレンズ押さえＤを眼鏡レンズＭＬの後側屈折面に当接させることにより、眼鏡レンズＭＬをレンズ回転軸Ｂ，Ｃ間で保持していた（特許文献６、７参照）。
【特許文献１】実公昭５０−２３４０９号公報
【特許文献２】特開昭４６−１０９５号公報
【特許文献３】特開平９−２２５７９８号公報
【特許文献４】アメリカ特許３７４５７２０号公報
【特許文献５】アメリカ特許４５６１２１３号公報
【特許文献６】特開平３−１４９１６８号公報
【特許文献７】特開平１０−２４９６９２号公報
【発明の開示】
【発明が解決しようとする課題】
【０００６】
しかしながら、上述したカニメ型（小判型）の吸着カップＡ（吸着盤あるいは吸着治具）でマイナスレンズである眼鏡レンズＭＬを挟持すると、レンズ周縁部で矢印Ｅで示したような方向への撓み（たわみ、傾くこと）が生じ、ヤゲン加工等の場合、ヤゲン山位置がずれてしまい、精密なヤゲン加工を実現することができなかった。
【０００７】
そこで、本発明は、一対のレンズ回転軸間で眼鏡レンズを挟持したときに、眼鏡レンズの撓みを防ぎ、ヤゲン加工等の場合のヤゲン山位置のずれがなくなり、精密なヤゲン加工を実現することができるレンズ保持装置およびレンズ研削加工装置を提供することを目的とするものである。
【課題を解決するための手段】
【０００８】
上記課題を解決するため、本発明に係るレンズ保持装置は、眼鏡レンズを保持する一方のレンズ回転軸に取り付けられ長径と短径を有する吸着カップの長径をＬ、他方のレンズ回転軸のレンズ押え部の長径をＭ、長径と短径を有する吸着カップが取り付けられたレンズ回転軸のカップ受け部の長径をＳとするとき、Ｌ＞Ｍ＞Ｓの関係を満たすように眼鏡レンズを挟持することを特徴とする。
【発明の効果】
【０００９】
そして、上述した請求項１の発明によれば、眼鏡レンズを保持する一方のレンズ回転軸に取り付けられ長径と短径を有する吸着カップの長径をＬ、他方のレンズ回転軸のレンズ押え部の長径をＭ、長径と短径を有する吸着カップが取り付けられたレンズ回転軸のカップ受け部の長径をＳとするとき、Ｌ＞Ｍ＞Ｓの関係を満たすように眼鏡レンズを挟持するレンズ保持装置を有するので、レンズ挟持による眼鏡レンズの撓みを防ぎ、堅固に眼鏡レンズを保持することができる。
【発明を実施するための最良の形態】
【００１０】
以下、本発明の実施の形態を図面に基づいて説明する。
【００１１】
図１において、１はこの発明に係るレンズ保持装置を備えるレンズ研削加工装置である。このレンズ研削加工装置１は、装置本体２を有すると共に、後縁部を中心に上下回動可能且つ左右動可能に装置本体２に装着されたキャリッジ３を有する。このキャリッジ３は、左右のアーム部４，５と、左右のアーム部４，５の後端部を連設している連設部６から平面形状がコ字状に形成されている。
【００１２】
そして、アーム部４の先端部には、左右に延びるレンズ回転軸７が回転自在に且つ軸線方向に移動不能に保持されている。また、アーム部５の先端部には、左右に延びるレンズ回転軸８が回転自在且つ軸線方向に移動調整可能に保持されている。
【００１３】
しかも、このレンズ回転軸７，８は同軸に設けられていて、図２に示したようにレンズ回転軸７，８の対向する端部７ａ，８ａには端面に開口する取付穴９，１０が形成されている。また、このレンズ回転軸７，８間の下方には研削砥石９が回転駆動可能に配設されている。
【００１４】
更に、アーム部４を貫通するレンズ回転軸７の端部には円板状の当接部材１１が取り付けられ、この当接部材１１は装置本体２に昇降可能に保持された型受１２に当接させられている。この型受１２は、図示しないパルスモータによりメガネの玉型形状情報（θｉ，ρｉ）に基づいて昇降駆動されて、レンズ回転軸７，８間に挟持される眼鏡レンズＭＬの周縁を研削砥石９で玉型形状に研削させるようになっている。
【００１５】
このような構成には周知の構成が採用できるので、その詳細な説明は省略する。そして、対向端部７ａ，８ａ間にはレンズ保持装置１３の吸着カップ１４とレンズ押さえ１５が配設されている。尚、レンズ保持装置１３は、レンズ回転軸７，８と吸着カップ１４及びレンズ押さえ１５を備えている。
【００１６】
このレンズ押さえ１５は、取付軸１６と、この取付軸１６の端部のフランジ１６ａと一体に設けられたゴム製の当接部材１７を有する。そして、取付軸１６はレンズ回転軸８の取付穴１０に嵌着されている。
【００１７】
また、吸着カップ１４は、周面に周方向に延びる環状溝１８ａが形成された取付軸１８と、この取付軸１８に一体に設けられたゴム製のカップ本体１９を有する。そして、取付軸１８はレンズ回転軸７の取付穴９に着脱可能に嵌着されている。
【００１８】
しかも、図３に示したように、レンズ押さえ１５のフランジ１６ａ，当接部材１７及び吸着カップ１４のカップ本体１９は、小判型又は楕円形に形成されていて、短径と長径を有する。ここで、吸着カップ１４の長径をＬ、レンズ押さえ（レンズ押え部）１５の長径をＭ、レンズ回転軸７の端部（カップ受け部）７ａの長径をＳとしたとき、長径Ｌ，長径Ｍ，ＳはＬ＞Ｍ＞Ｓの関係を満たすように設定されている。
【００１９】
そして、カップ本体１９を眼鏡レンズＭＬの前側屈折面に取り付ける場合には、眼鏡レンズＭＬの円柱軸の方向とは無関係に楕円型のカップ本体１９の長径および短径を向け、またレンズ押さえ１５についても円柱軸の方向とは無関係に当接部材１７の長径および短径を向ける。
【００２０】
この際、円柱軸の方向には関係なく、楕円形（楕円型）のカップ本体１９の長径および短径の方向と、レンズ押さえ１５の当接部材１７の長径および短径の方向とを一致させて、眼鏡レンズＭＬを挟持する。これにより、眼鏡レンズＭＬをレンズ回転軸７，８間で挟持したときに、図１１に示したように矢印Ｅ方向へレンズ周縁部での眼鏡レンズＭＬの撓み（たわみ、傾くこと）が発生するのを防ぐことができる。
【００２１】
図４はレンズ回転軸７の端部７ａ（吸着カップ１４を保持するカップ受け部）の斜視図であり、図５は図４を矢印Ａ１方向から見た端部７ａの端面である。この端部７ａの先端（端面）には、ノコギリ歯のようにギザギザした係合部２０が設けられている。この係合部２０は、山部２０ａとＶ字状の谷部（凹部）２０ｂを有する。この谷部（凹部）２０ｂの開き角度は略９０°に設定されている。
【００２２】
また、図６〜図８に示したように吸着カップ１４のカップ本体１９の背面には、複数の屋根形状（三角柱状、又は断面三角形状）の係合突部（屋根状突部）２１が放射状に突設されている。この係合突部２１の頂角は略９０°に設定されている。尚、係合突部２１は、取付軸１８の部分からカップ本体１９の周縁まで延設されている。
【００２３】
そして、吸着カップ１４の取付軸１８をレンズ回転軸７の端部７ａに設けた取付穴９に嵌着する際、カップ本体１９の係合突部２１を端部７ａの谷部２０ｂに係合させる。これにより、カップ本体１９が端部７ａに堅固に保持される。即ち、眼鏡レンズＭＬが傾斜する方向にカップ本体１９が撓むのを確実に防止できる。また、眼鏡レンズＭＬの研削砥石９による研削加工に際して、研削砥石９から眼鏡レンズＭＬに周方向に向けて作用する力により、カップ本体１９が周方向へ変形しようとするのを係合突部２１により確実に抑制できる。
＜変形例＞
なお、吸着カップ１４は左眼用の眼鏡レンズや右眼用の眼鏡レンズに取り付けられるので、眼鏡レンズの研削加工に際して研削加工のミスをなくすため、左眼用の眼鏡レンズを吸着させる吸着カップと右眼用の眼鏡レンズを吸着させる吸着カップを容易に区別できるようにしておくのが望ましい。
【００２４】
図９は左眼用の眼鏡レンズを吸着させる吸着カップ１４Ｌを示したもので、図１０は右眼用の眼鏡レンズを吸着させる吸着カップ１４Ｒを示したものである。この吸着カップ１４Ｌ，１４Ｒは、構造的には吸着カップ１４と同じである。この吸着カップ１４Ｌ，１４Ｒの吸着カップ１４と異なる点は、吸着カップ１４Ｌに設けられたカップ本体１９の吸着面１９ａに左眼用であることを示す左眼用表示２２を設け、吸着カップ１４Ｒに設けられたカップ本体１９の吸着面１９ａに右眼用であることを示す右眼用表示２３を設けたことにある。
【００２５】
図９は吸着カップ１４Ｌの左眼用表示２２として英語でLeftと表示した例を示し、図１０は吸着カップ１４Ｒの右眼用表示２３として英語でRightと表示した例を示したものである。
【００２６】
図９の左眼用表示２２及び図１０の右眼用表示２３は英語としたが必ずしもこれに限定されるものではない。この左眼用表示２２は漢字で「左」とし、右眼用表示２３は漢字で「右」としても良い。また、左眼用表示２２，右眼用表示２３は、漢字や英語以外のドイツ語（Rechts、Links）、フランス語、韓国語、ロシア語等いずれの言語であってもよいし、左右の区別ができれば言語以外のマークでも良い。
【００２７】
また、左眼用表示２２，右眼用表示２３が設けられる吸着カップ１４Ｌ，１４Ｒの形状は楕円形や小判型に限定されるものではない。即ち、吸着カップ１４Ｌ，１４Ｒの形状は、カニメ型（カニ目形状）、円形型（円形状）であっても良い。また、吸着カップ１４Ｌ，１４Ｒは、吸着面１９ａ側に両面テープが設けられていて、両面テープで眼鏡レンズＭＬを取り付けるタイプのものであっても良い。
【００２８】
このように左眼用表示２２，右眼用表示２３を吸着カップ１４Ｌ，１４Ｒのカップ本体１９に設けることで、カップ本体１９に取り付けられた透明な眼鏡レンズＭＬを通して吸着カップ１４Ｌ又は１４Ｒを取り付けた眼鏡レンズＭＬが右眼用なのか、あるいは左眼用なのかを判別することができる。
【００２９】
以上説明したように、この発明の実施の形態のレンズ保持装置１３は、眼鏡レンズＭＬを保持する一方のレンズ回転軸７に取り付けられ長径と短径を有する吸着カップ１４の長径をＬ、他方のレンズ回転軸８のレンズ押え部（レンズ押さえ）の長径をＭ、長径と短径を有する吸着カップ１４が取り付けられたレンズ回転軸７のカップ受け部（端部７ａ）の長径をＳとするとき、Ｌ＞Ｍ＞Ｓの関係を満たすように眼鏡レンズを挟持するようになっている。
【００３０】
この構成によれば、レンズ挟持による眼鏡レンズの撓みを防ぎ、堅固に眼鏡レンズを保持することができる。
【００３１】
また、この発明の実施の形態のレンズ研削加工装置１は、眼鏡レンズＭＬを保持する一方のレンズ回転軸７に取り付けられ長径と短径を有する吸着カップ１４の長径をＬ、他方のレンズ回転軸８のレンズ押え部（レンズ押さえ１５）の長径をＭ、長径と短径を有する吸着カップ１４が取り付けられたレンズ回転軸７のカップ受け部（端部７ａ）の長径をＳとするとき、Ｌ＞Ｍ＞Ｓの関係を満たすように眼鏡レンズを挟持して、眼鏡レンズＭＬを砥石（研削砥石９）により研削加工するようになっている。
【００３２】
この構成によれば、レンズ挟持による眼鏡レンズＭＬの撓みを防ぎ、ヤゲン加工等の場合のヤゲン山位置のずれがなくなり、精密なヤゲン加工を実現することができる。
【００３３】
上述したように、眼鏡レンズＭＬを両側からレンズ回転軸７，８により挟持するレンズ保持装置において、一方のレンズ回転軸７に取りつけられる楕円型の吸着カップ１４の長径と、他方のレンズ回転軸８のレンズ押え部（レンズ押さえ１５）の長径と、楕円型の吸着カップ１４が取り付けられたレンズ回転軸７のカップ受け部（端部７ａ）の長径との間の夫々の大きさを調整し実験することにより、所定の大きさの関係を見つけ、その関係を保つことで、レンズ挟持による眼鏡レンズＭＬの撓みを防ぎ、ヤゲン加工等の場合のヤゲン山位置のずれがなくなり、精密なヤゲン加工を実現することができる。
【図面の簡単な説明】
【００３４】
【図１】この発明に係るレンズ研削加工装置の概略斜視図である。
【図２】図１に示したレンズ回転軸と眼鏡レンズとの関係を示す部分断面拡大図である。
【図３】図２のレンズ回転軸と眼鏡レンズとの関係を示す斜視図である。
【図４】図２の左方のレンズ回転軸の端部の斜視図である。
【図５】図４の端部を矢印Ａ１方向から見た端面図である。
【図６】図２の吸着カップの側面図である。
【図７】図６の吸着カップの右側面図である。
【図８】図６の吸着カップを斜め背面側から見た斜視図である。
【図９】図２に示した吸着カップの変形例を示す斜視図である。
【図１０】図２に示した吸着カップの変形例を示す斜視図である。
【図１１】従来の吸着カップ及びレンズ押さえと眼鏡レンズとの関係を示す斜視図である。
【符号の説明】
【００３５】
１…レンズ研削加工装置
７…レンズ回転軸
７ａ…端部（カップ受部）
８…レンズ回転軸
１３…レンズ保持装置
１４…吸着カップ
ＭＬ…眼鏡レンズ
Ｌ…長径
Ｓ，Ｍ…長径
９…研削砥石（砥石）
【図１】
2005254391.tif 000003
【図２】
2005254391.tif 000004
【図３】
2005254391.tif 000005
【図４】
2005254391.tif 000006
【図５】
2005254391.tif 000007
【図６】
2005254391.tif 000008
【図７】
2005254391.tif 000009
【図８】
2005254391.tif 000010
【図９】
2005254391.tif 000011
【図１０】
2005254391.tif 000012
【図１１】
2005254391.tif 000013
【手続補正書】
【提出日】平成16年3月16日(2004.3.16)
【手続補正２】
【補正対象書類名】明細書
【補正対象項目名】０００１
【補正方法】変更
【補正の内容】
【０００１】
本発明は、眼鏡レンズを両側からレンズ回転軸により挟持するレンズ保持装置に関する。
【手続補正３】
【補正対象書類名】明細書
【補正対象項目名】０００７
【補正方法】変更
【補正の内容】
【０００７】
そこで、本発明は、一対のレンズ回転軸間で眼鏡レンズを挟持したときに、眼鏡レンズ
の撓みを防ぎ、ヤゲン加工等の場合のヤゲン山位置のずれがなくなり、精密なヤゲン加工
を実現することができるレンズ保持装置を提供することを目的とするものである。